(57)【要約】      （修正有）【課題】安価で、多様に標示して利用できるブロー成形の道路標示具を提供する。【解決手段】道路通行規制や道路工事等で使用されるブロー成形により成形された道路標示具１であって、中央部に通行規制や工事表示の標識シート５を貼り付け可能にシール貼り付け部６を設けるとともに、その両側部に通行規制や工事表示の標識板を挿脱可能に挿脱ガイド材を取り付けるようにしている。また道路標示具１は、正面側板２と背面側板とをその上部で蝶着して折り畳み可能に設け、正面側板と背面側板に標識シートのシール貼り付け部６および標識板の挿脱ガイド材のガイド材取り付け部１１をそれぞれ設けている。【選択図】図１
0003189720.tif 000002
【実用新案登録請求の範囲】
【請求項１】
ブロー成形により成形された道路標示具であって、
上記道路標示具の中央部に通行規制や工事表示の標識シートを貼り付け可能にシール貼り付け部を設けるとともに、その両側部に通行規制や工事表示の標識板を挿脱可能に挿脱ガイド材を取り付けるように形成したことを特徴とするブロー成形の道路標示具。
【請求項２】
道路標示具を正面側板と背面側板とをその上部で蝶着して折り畳み可能に設け、
上記正面側板と背面側板に標識シートのシール貼り付け部および標識板の挿脱ガイド材のガイド材取り付け部をそれぞれ設けた請求項１に記載のブロー成形の道路標示具。
【請求項３】
道路標示具の上部中央に携帯可能な把持部を設けるとともに、シール貼り付け部の上下部に通風用の通風孔をそれぞれ設けた請求項１または２に記載のブロー成形の道路標示具。
【請求項４】
道路標示具の両側部、下側部に挿脱ガイド材を取り付け可能にガイド材取り付け部を設けた請求項１ないし３のいずれかに記載のブロー成形の道路標示具。
【考案の詳細な説明】
【技術分野】
【０００１】
本考案は、道路標示分野における道路通行規制等のためのブロー成形の道路標示具に関するものである。
【背景技術】
【０００２】
従来、道路工事や通行規制等にあっては、自動車や通行人の通行規制を行なうために矢印や進入禁止の標示板等の標示具が道路上に設置される。
【０００３】
これらの標示具は、乱暴に搬送されたりして破損しやすいため、できるだけ頑丈に作られてきているが、比較的耐久性に乏しい。そのため、近年、特開２０１０−１８９６５号公報のようにブロー成形による道路標示具が提案されている。
【０００４】
しかし、これらの道路標示具は、予め矢印等の標識をブロー成形によって一体的に形成されたり、ビス等で本体に固定するようにしていて、所要方向等の通行規制用には利用できるが、他の所要方向等の場合には別のものを使用していた。
【０００５】
また、これらの道路標示具には、その両側部に標示板ガイド部を一体的に形成し、所要の標識板を挿入可能として汎用性をはかるようにしたものも提案されている。
【先行技術文献】
【特許文献】
【０００６】
【特許文献１】特開２０１０−１８９６５号公報
【０００７】
しかし、前者の道路標示具は、所要の通行標識の表示だけで、他の通行標識を表示できなかったり、また所要の標示板を挿脱して多様に使用できないものであった。
【０００８】
また、後者の道路標示具では、所要の標示板を挿脱できて多様に利用できるものの、これらの標示板を挿脱しなくて使用する場合、標示板ガイド部は不要となるものであった。
【考案の開示】
【考案が解決しようとする課題】
【０００９】
ブロー成形の道路標示具は、安価でないため、道路通行表示側や道路工事側としてはできるだけ安価で、多様に標示して利用できるものが要望され、このような要望に対応できる道路標示具を提供するのが課題であった。
【課題を解決するための手段】
【００１０】
本考案は、上記のような点に鑑みたもので、上記の課題を解決するために、請求項１のように、ブロー成形により成形された道路標示具であって、上記道路標示具の中央部に通行規制や工事表示の標識シールを貼り付け可能にシール貼り付け部を設けるとともに、その両側部に通行規制や工事表示の標識板を挿脱可能に挿脱ガイド材を取り付けるように形成したことを特徴とするブロー成形の道路標示具を提供するにある。
【００１１】
また、請求項２のように、道路標示具を正面側板と背面側板とをその上部で蝶着して折り畳み可能に設け、上記正面側板と背面側板に標識シートのシール貼り付け部および標識板の挿脱ガイド材のガイド材取り付け部をそれぞれ設けたことを特徴とするブロー成形の道路標示具を提供するにある。
【００１２】
さらに、請求項３のように、道路標示具の上部中央に携帯可能な把持部を設けるとともに、シール貼り付け部の上下部に通風用の通風孔をそれぞれ設けたことを特徴とするブロー成形の道路標示具を提供するにある。
【００１３】
さらにまた、請求項４のように、道路標示具の両側部、下側部に挿脱ガイド材を取り付け可能にガイド材取り付け部を設けたことを特徴とするブロー成形の道路標示具を提供するにある。
【考案の効果】
【００１４】
本考案は、上記請求項１のように、ブロー成形により成形された道路標示具であって、上記道路標示具の中央部に通行規制や工事表示の標識シートを貼り付け可能にシール貼り付け部を設けるとともに、その両側部に通行規制や工事表示の標識板を挿脱可能に挿脱ガイド材を取り付けるように形成したことによって、ブロー成形した標示具に矢印等の所要の標識シートを貼り付けて多様に使用できるとともに、矢印等の標識板を挿脱ガイド部に挿入して表示でき、使用者の用途に合せて多様に利用できる。
【００１５】
また、上記請求項２のように、道路標示具を正面側板と背面側板とをその上部で蝶着して折り畳み可能に設け、上記正面側板と背面側板に標識シートのシール貼り付け部および標識板の挿脱ガイド材のガイド材取り付け部をそれぞれ設けたことによって、折り畳み自在とした標示具の正面側と背面側とで上記のように表示できて多様に使用できる。
【００１６】
さらに、上記請求項３のように、道路標示具の上部中央に携帯可能な把持部を設けるとともに、シール貼り付け部の上下部に通風用の通風孔をそれぞれ設けたことによって、上記した標示具を上記の把持部を介して持ち運べるとともに、ブロー成形の標示具を風圧から護れて、かつ軽量化できる。
【００１７】
またさらに、上記請求項４のように、道路標示具の両側部、下側部に挿脱ガイド材を取り付け可能にガイド材取り付け部を設けたことによって、必要に応じて別途の所要の挿脱ガイド材を上記標示具の両側部や下側部に設けたガイド材取り付け部に取り付けると、上記のように標識板を挿し込んで表示でき、必要なければ使用しなくてもよくて、標識シート、標識板を選択的に使用できる。
【図面の簡単な説明】
【００１８】
【図１】本考案の一実施例の正面図、
【図２】同上の立設表示した側面図（ａ）とその折り畳み状態図（ｂ）、
【図３】同上の挿脱ガイド材の平面図（ａ）、正面図（ｂ）、側面図（ｃ）、
【図４】同上の道路標示具の使用状態を示す正面図、
【図５】同上の他の使用状態を示す正面図。
【考案を実施するための形態】
【００１９】
本考案のブロー成形の道路標示具は、ブロー成形により成形された道路標示具であって、上記道路標示具の中央部に通行規制や工事表示の標識シートを貼り付け可能にシール貼り付け部を設けるとともに、その両側部に通行規制や工事表示の標識板を挿脱可能に挿脱ガイド材を取り付けるように形成したことを特徴としている。
【００２０】
道路標示具１は、一方通行の矢印や通行禁止等の通行規制や工事中等の工事表示の表示用に利用するもので、図１のようにエチレン樹脂等のプラスチック材をブロー成形によって所要の厚さの中空状で所要の大きさに一体成形して、軽量、高強度に構成しているものである。
【００２１】
道路標示具１は、図１、図２（ａ）、（ｂ）のように正面側板２と背面側板３とを上部で蝶番部４を介して蝶着し、逆Ｖ字状に道路上に設置したり、折り畳んで持ち運んだり、嵩低く保管したりできるようにしている。
【００２２】
上記道路標示具１の正面側板２と背面側板３はほぼ同一形状に成形していて、図１のようにその表面部分を平坦状として、矢印を含む一方通行や通行禁止、駐車禁止、駐輪禁止等、工事中等の道路標識や工事標識などの標識シール５を表面の中央部分のシール貼り付け部６に貼り付けて多様に使用できるようにしている。
【００２３】
そして、その上下部等に台形状等の所定形状の通風孔７をそれぞれ開孔し、風による転倒や移動等の防止および軽量化がはかれるようにしている。通風孔７は、必要により四隅部等の所要部分に追加して開孔することができる。
【００２４】
また、道路標示具１の両側部および下部中央には、図１、図４のように所定の間隔で凹み穴８をそれぞれ設けて（各３個ずつ）、その中央部に木ねじ等のねじ釘をねじ込み可能とし、標識板９の挿脱ガイド材１０を取り付けるガイド材取り付け部１１をそれぞれ開口して設けている。
【００２５】
標識板９は、路上工事看板や工事標示板等の通行規制や工事中等を表示する薄いシート状のもので、その挿脱ガイド材１０もブロー成形で一体的に成形していて、図３（ａ）〜（ｃ）に示すように細長状としたその表面側に上記したガイド取り付け部１１に対応して一定間隔で中央と両側に木ねじ等のねじ釘の挿入孔１２をそれぞれ開口（各３個ずつ）し、その裏面側にその一側部を上記標識板９の側端部をそれぞれ挿脱可能に所要量へこませている。また、上記ねじ釘の挿入孔１２のまわりには膨出部１３を膨出して、前記した挿脱ガイド材１０の取り付け用の凹み穴８に嵌合するようにそれぞれ設け、図５のように挿脱ガイド材１０を道路標示具１の正面側板２、背面側板３の両側部、下側部にそれぞれ取り付けられるようにしている。各挿脱ガイド材１０は、同一形状、寸法とし、部材の共通化、コストダウンをはかれるようにすることが好ましい。
【００２６】
またさらに、上記道路標示具１の下部の両側部には、挿入する標識板９のストッパーの膨出部１４をそれぞれ設けるとともに、下端部に突出部１５を突出してゴム等のすべり止め材１６をそれぞれ装着するようにしている。
【００２７】
さらに、上記道路標示具１の正面側材２、背面側材３の上端部は、図１、図２（ａ）、（ｂ）のように中央部に広い膨出部１７を、両側にそれぞれ狭い膨出部１８を設け、中央部の膨出部１７にはそれぞれ携帯可能に把持部１９をそれぞれ開口し、両側の膨出部１８には裏面側に蝶番状に嵌合し得る蝶番部４を設けて、軸孔を開孔して長ねじ等の軸着具２０を挿通して蝶着し、図２（ａ）、（ｂ）のように逆Ｖ字状に道路上に立設したり、折り畳んで持ち運んだり、保管できるようにしている。上記膨出部１７、１８の内側面は、道路標示具１を所定角度に開閉可能な傾斜面としている。
【００２８】
なお、上記道路標示具１、標識板９の挿脱ガイド材１０には、適宜の個所に補強用の凹溝等の補強部２１や重ね合せ用の凸部２２、凹部等を設けることができる。
【００２９】
上記では、横長状の道路標示具１について折り畳み式のものを説明したが、一枚状のものにも適用可能であるとともに縦長状等のものについても同様に適用可能である。さらに、道路標示具１には、必要によりＬＥＤランプを装着して点灯したり、転倒防止にウェイト等を取り付けるようにもできる。
【実施例】
【００３０】
図１以下は、本考案の実施例を示すもので、道路標示具１は、図１、図２（ａ）、（ｂ）のように正面側板２と背面側板３とを上部で蝶番部４を介して蝶着し、逆Ｖ字状に道路上に設置したり、折り畳んで持ち運んだり、嵩低く保管したりできるようにしている。
【００３１】
上記道路標示具１の正面側板２と背面側板３は、エチレン樹脂をブロー成形して中空のほぼ同一形状に成形していて、図１のようにその表面部分を平坦状として、矢印を含む一方通行や通行禁止、駐車禁止、駐輪禁止、工事中などの道路標識や工事標識などの標識シール５を表面の中央部分のシール貼り付け部６に貼り付けて使用できるようにしている。その上下部に台形状の通風孔７をそれぞれ開孔している。
【００３２】
また、道路標示具１の両側部および下部中央には、図１のように所定の間隔で各３個ずつ凹み穴８をそれぞれ設け、その中央部に標識板９の挿脱ガイド材１０を取り付けるガイド材取り付け部１１をそれぞれ設けている。
【００３３】
挿脱ガイド材１０も、エチレン樹脂をブロー成形して図３（ａ）〜（ｃ）に示すように細長状に一体的に成形して各挿脱ガイド材１０を同一形状、寸法とし、その表面側に上記したガイド取り付け部１１に対応して一定間隔で中央と両側にねじ釘の挿入孔１２をそれぞれ開口し、その裏面側にその一側部を上記標識板９を挿脱可能に所要量へこませている。
【００３４】
また、上記挿入孔１２のまわりには膨出部１３を膨出して、前記した挿脱ガイド材１０の取り付け用の凹み穴８に嵌合するようにそれぞれ設け、図５のように挿脱ガイド材１０を道路標示具１の工事側板２、背面側板３の両側、下側の所定の位置に取り付けられるようにしている。１４は標識板９のストッパーの膨出部、１５は突出部、１６はすべり止め材である。
【００３５】
また、上記道路標示具１の正面側材２、背面側材３の上端部は、図１、図２（ａ）、（ｂ）のように中央部に広い膨出部１７を設けてそれぞれ携帯可能に把持部１９をそれぞれ開口し、その両側にそれぞれ狭い膨出部１８を設けてその裏面側に蝶番状に嵌合し得る蝶番部４を設け、軸孔を開孔して長ねじの軸着具２０を挿通して蝶着し、図２（ａ）、（ｂ）のように逆Ｖ字状に道路上に立設したり、折り畳んで持ち運んだり、保管できるようにしている。
【００３６】
したがって、たとえば、上記道路標示具１の正面側板２と背面側板３を背中合せに対向して、その上部の蝶番部４に軸着具２０を挿通して蝶着し、図４のように正面側板２の中央部のシール貼り付け部６に矢印の標識シール５を貼り付け、図２（ａ）のように道路標示具１を拡げれば、道路上に設置して通行規制に使用できる。
【００３７】
また、道路標示具１に標識シール５を貼り付けなく、工事中等の標識板９を表示したい場合、図３（ａ）〜（ｃ）に示した挿入ガイド材１０を図５のように正面側板２の両側部、下部の凹み穴１２に膨出部１３をそれぞれ嵌入してねじ釘２３を挿入孔１２に挿入してガイド材取り付け部１１に螺入して固定し、路上工事看板や工事標示板等の可撓性や弾力性を有するシート状の標識板９を図５の矢印のように道路標示具１の上方からこの両側部を上記のように取り付けた両側の挿入ガイド材１０の段落した間隙に挿入して、下側の挿入ガイド材１０迄押し込んでいって取り付ければ、道路上に標識板９を表示することができる。
【００３８】
道路標示具１の上端部に図２（ａ）、（ｂ）のように膨出部１７、１８を膨出しているため、道路標示具１に挿着した標識板９はこれらの膨出部１７、１８によって上方に飛び出るのを防止できて、安定して装着しておけるものである。
【００３９】
なお、道路標示具１の正面側板２、背面側板３の両方側も同様に利用でき、片方側に標識シール５を貼り付け、別の側面に標識板９を挿着して使用することもできる。
【００４０】
このように、本考案は、ブロー成形により成形された道路標示具であって、ブロー成形した標示具に矢印等の所要の通行規制や工事表示の標識シートを貼り付けて多様に使用できるとともに、矢印等の通行規制や工事表示の標識板を挿脱ガイド部に挿入して表示でき、使用者の用途に合せて多様に利用できる。
【産業上の利用可能性】
【００４１】
本考案は、道路通行規制や道路工事等の標識に広く利用できる。
【符号の説明】
【００４２】
１…道路標示具      ２…正面側板              ３…背面側板      ４…蝶番具
５…標識シール      ６…シール貼り付け部      ７…通風孔        ９…標識板
１０…挿脱ガイド材  １１…ガイド材取り付け部  １２…挿脱ガイド材
【図１】
0003189720.tif 000003
【図２】
0003189720.tif 000004
【図３】
0003189720.tif 000005
【図４】
0003189720.tif 000006
【図５】
0003189720.tif 000007